(57)【特許請求の範囲】
【請求項１】
繊度１００デシテックス以上のモノフィラメントを鎖編みして形成された網糸で構成された網地と、該網糸に編み込まれて、該網地の一表面から一方に延びる、前記モノフィラメントよりも太繊度のモノフィラメント群とからなる繊維シートを、人工海岸の直立構造物の垂直面に該網地の他表面を沿わせて固定することを特徴とする直立構造物で構成された人工海岸の環境修復工法。
【請求項２】
繊度１００デシテックス以上のモノフィラメントを鎖編みして形成された網糸で構成された二枚の網地と、該二枚の網地の各網糸に編み込まれて、該二枚の網地を連結する、前記モノフィラメントよりも太繊度のモノフィラメント群とからなる繊維シートを、人工海岸の直立構造物の垂直面に、いずれか一方の網地の表面を沿わせて固定することを特徴とする直立構造物で構成された人工海岸の環境修復工法。
【請求項３】
網糸に編み込まれているモノフィラメント群が、網糸中に混入されている熱融着糸によって融着固定されている請求項１又は２記載の直立構造物で構成された人工海岸の環境修復工法。
【請求項４】
熱融着糸がマルチフィラメント糸である請求項３記載の直立構造物で構成された人工海岸の環境修復工法。
【請求項５】
マルチフィラメント糸は、高融点成分を芯成分とし、低融点成分を鞘成分とする芯鞘型複合繊維が多数本集束されてなるものである請求項４記載の人工海岸の環境修復工法。
【請求項６】
網地の一表面から一方に延びるモノフィラメント群の各モノフィラメントの長さが１０ｍｍ以上である請求項１記載の直立構造物で構成された人工海岸の環境修復工法。
【請求項７】
二枚の網地を連結しているモノフィラメント群の各モノフィラメントの長さが２５ｍｍ以上である請求項２記載の直立構造物で構成された人工海岸の環境修復工法。
【発明の詳細な説明】
【技術分野】
【０００１】
本発明は、人工海岸による環境破壊を修復する工法に関するものである。
【背景技術】
【０００２】
日本各地の湾には自然海岸が少なくなってきており、その多くが人工海岸となっている。たとえば、大阪湾では、泉南地域の一部を除き殆どが人工海岸となっている。人工海岸は埋め立てや護岸等のために構築されるものであり、必要なものである。しかしながら、人工海岸にすると浅瀬や干潟等がなくなり、多様な生物の住処がなくなり、水質の浄化能力が低下して環境破壊が進行するということがあった。
【０００３】
かかる人工海岸による環境破壊を防止して修復するために、海岸に設けられた消波ブロックや根固めブロックに、繊維シートを固定することが行われている（特許文献１）。この繊維シートは、繊維ネットの表面に線状体を固定したものであり、海藻類の育成に適したものである。
【０００４】
【特許文献１】特開２００４−６５号公報（特許請求の範囲）
【発明の概要】
【発明が解決しようとする課題】
【０００５】
しかしながら、特許文献１記載の方法によっても、未だ十分に人工海岸の環境破壊を防止することはできなかった。本発明者は、この原因が生物多様性の確保に悪影響を与える直立構造物にあると考えた。特に、大阪湾では、海岸線の約７割が直立構造物で構成されており、かかる人工海岸では環境破壊を十分に防止できない。
【０００６】
そこで、本発明者は、直立構造物の垂直面に繊維シートを固定し敷設することを試みた。しかしながら、直立構造物の垂直面には、波が直接衝突すると共に潮の満ち引きもあり、常に大きな荷重が負荷されているし、海への浸漬と浮上を繰り返している。したがって、通常の繊維シートを用いると、繊維がばらけて繊維シートが消失してしまうということがあった。
【０００７】
したがって、本発明の課題は、直立構造物の垂直面に固定敷設しても、波によって或いは海への浸漬と浮上の繰り返しによって、消失しにくい繊維シートを提供することにある。
【課題を解決するための手段】
【０００８】
本発明は、特定の糸使いによる繊維シートを用いることにより、上記課題を解決したものである。すなわち、本発明は、繊度１００デシテックス以上のモノフィラメントを鎖編みして形成された網糸で構成された網地と、該網糸に編み込まれて、該網地の一表面から一方に延びる、前記モノフィラメントよりも太繊度のモノフィラメント群とからなる繊維シートを、人工海岸の直立構造物の垂直面に該網地の他表面を沿わせて固定することを特徴とする直立構造物で構成された人工海岸の環境修復工法に関するものである。また、繊度１００デシテックス以上のモノフィラメントを鎖編みして形成された網糸で構成された二枚の網地と、該二枚の網地の各網糸に編み込まれて、該二枚の網地を連結する、前記モノフィラメントよりも太繊度のモノフィラメント群とからなる繊維シートを、人工海岸の直立構造物の垂直面に、いずれか一枚の網地の表面を沿わせて固定することを特徴とする直立構造物で構成された人工海岸の環境修復工法に関するものである。
【０００９】
本発明に係る繊維シートは、網地１とモノフィラメント群２，２，２・・・とよりなる。網地１は、網糸３と網目４とで構成される。本発明において、網糸３は、繊度１００デシテックス以上のモノフィラメントを鎖編みして形成されたものである。モノフィラメントは、単一のフィラメントであるから、複数のフィラメントが集束されてなるマルチフィラメントや、複数の繊維が紡績されてなる紡績糸に比べて、ばらけにくいので好ましい。また、繊度１００デシテックス未満であると、引張強力が低く、波等の衝撃によって損傷されやすいので好ましくない。したがって、繊度１００デシテックス以上のモノフィラメントを用いたのである。また、網糸３は、モノフィラメントを鎖編みして形成されたものである。鎖編みにより形成した理由は、網糸３の強力を向上させると共に、モノフィラメント群２，２，２・・・を編み込むためである。
【００１０】
網糸３を形成するモノフィラメントとしては、ポリプロピレンモノフィラメントやポリエステルモノフィラメント等の熱可塑性合成モノフィラメントであるのが好ましい。特に、黒色に原着したポリエステルモノフィラメントは、耐候性に優れており、海への浸漬と浮上が繰り返しなされても強力低下が生じにくいため、好ましい。
【００１１】
網目４は空間で形成されており、その大きさは任意であるが、一般的に０．５〜１．０ｃｍ2程度である。網目４の大きさが０．５ｃｍ2未満であると、網糸１に編み込まれるモノフィラメント群２，２，２・・・の密度が高くなると共に、海水が通過しにくくなり、繊維シートが損傷する恐れがある。網目４の大きさが１．０ｃｍ2を超えると、網糸１に編み込まれるモノフィラメント群２，２，２・・・の密度が低くなり、海藻類、貝類、甲殻類等の繁殖が促進されない傾向となる。また、網目４の形状も任意であり、一般的に、亀甲形状（六角形状又はハニカム形状ともいう。）、楕円形状、四角形状等であってよい。
【００１２】
モノフィラメント群２，２，２・・・の繊度は、網糸３を構成しているモノフィラントよりも太繊度になっている。網糸３はモノフィラメントが鎖編みによって形成されているため、高強力となっているが、モノフィラメント群２，２，２・・・の各モノフィラメントは単一のフィラメントよりなっているため、同一の繊度であると強力が極端に低下する。したがって、各モノフィラメントの繊度を、網糸３を形成しているモノフィラメントよりも太繊度とし、各モノフィラメントの強力を向上させているのである。モノフィラメント群２，２，２・・・としては、網糸３を形成するモノフィラメントの場合と同様に、ポリプロピレンモノフィラメントやポリエステルモノフィラメント等の熱可塑性合成モノフィラメントであるのが好ましく、特に、黒色に原着したポリエステルモノフィラメントが好ましい。
【００１３】
モノフィラメント群２，２，２・・・は、網糸３の鎖編みの中に編み込まれている。この編み込みによって、各モノフィラメント２は強固に網糸３に固定され、抜けたり解けたりしにくくなるのである。モノフィラメント群２，２，２・・・を網糸３に編み込むには、網糸３の編成時にモノフィラメント群２，２，２・・・となるモノフィラメントを挿入すればよい。具体的には、ダブルラッセル編機によって、二枚の網地１，１を編成し、この二枚の編地を連結する連結糸として、モノフィラメント群２，２，２・・・となるモノフィラメントを挿入すればよい。この方法によって、連結糸がモノフィラメント群２，２，２・・・となり、表裏のラッセル編地が二枚の網地１，１となる請求項２記載の繊維シートが得られる。この場合、連結しているモノフィラメント群２，２，２・・・の各モノフィラメントの長さは２５ｍｍ以上であるのが好ましい。この長さが２５ｍｍ未満であると、二枚の網地１，１間に形成される空隙が狭くなり、海水の透過性が低下したり、海藻類、貝類、甲殻類等の繁殖が促進されない傾向となる。また、この繊維シートの連結糸であるモノフィラメント群２，２，２・・・を、繊維シートの平面方向に切断すれば、請求項１記載の繊維シートが得られる。この場合、網地１の一表面から一方に延びるモノフィラメント群２，２，２・・・の各モノフィラメントの長さは１０ｍｍ以上であるのが好ましい。この長さが１０ｍｍ未満であると、形成される空隙が狭くなり、海藻類、貝類、甲殻類等の繁殖が促進されない傾向となる。
【００１４】
本発明においては、繊度１００デシテックス以上のモノフィラメントを鎖編みして網糸３を編成するのであるが、この際、熱融着糸を併用して鎖編みするのが好ましい。熱融着糸を後工程において融着固化させることにより、網糸３の強力を向上させることもできるし、網糸３に編み込まれたモノフィラメント群２，２，２・・・も強固に融着固定することができる。
【００１５】
熱融着糸はマルチフィラメント糸であるのが好ましい。同一の繊度であれば、マルチフィラメント糸はモノフィラメントに比べて低剛直であり、その断面も自由に変形しうるので、隙間なく網糸３中に挿入され、またモノフィラメント群２，２，２・・・との密着性にも優れているからである。特に、マルチフィラメント糸は、高融点成分を芯成分とし、低融点成分を鞘成分とする芯鞘型複合繊維が多数本集束されてなるものが好ましい。かかるマルチフィラメント糸は、低融点成分である鞘成分のみが融着固化し、高融点成分である芯成分は当初の繊維形態をそのまま維持するため、マルチフィラメント糸の挿入によって網糸３の強力がより向上するからである。低融点成分／高融点成分の組み合わせとしては、低融点ポリエステル／高融点ポリエステルやポリエチレン／ポリプロピレンの組み合わせを採用することができる。なお、熱融着糸として使用されるマルチフィラメント糸は、融着固化した後は、各構成繊維相互が接着され、モノフィラメントの如き状態となるので、このマルチフィラメント糸を使用したことにり、繊維シートの強力が低下するということはない。
【００１６】
以上のような繊維シートを、人工海岸の直立構造物の垂直面に固定する。固定方法は、一枚の網地１よりなる請求項１記載の繊維シートの場合は、網地１の他表面、すなわち、モノフィラメント群２，２，２・・・が延びているのと反対面を、垂直面に沿わせて、アンカーボルトや接着剤等で固定する。また、二枚の網地１，１よりなる請求項２記載の繊維シートの場合は、いずれか一方の網地１表面（連結糸が延びているのと反対面）を、垂直面に沿わせて、アンカーボルトや接着剤等で固定する。なお、繊維シートが固定される直立構造物としては、沖防波堤、岸壁、海岸堤防、橋脚等が挙げられる。
【発明の効果】
【００１７】
本発明で用いる繊維シートは、繊度１００デシテックス以上のモノフィラメントを鎖編みして形成された網糸で構成された網地と、この網糸に編み込まれてなる太繊度のモノフィラメント群とからなっているため高強力で、人工海岸の直立構造物の垂直面に沿わせて固定しても、長期に亙って消失しにくいものである。そして、この繊維シートは、生物の生育に適しているので、直立構造物近辺における、生物多様性が確保されて水質の浄化を図ることでき、人工海岸の環境破壊を修復しうるという効果を奏する。
【実施例】
【００１８】
以下、実施例に基づいて本発明を説明するが、本発明は実施例に限定されるものではない。本発明は、特殊な糸使いによる繊維シートを、直立構造物の垂直面に固定すれば、長期に亙って破損乃至消失しにくく、海藻類、貝類、甲殻類等の繁殖が促進されるという知見に基づくものとして解釈されるべきである。
【００１９】
［繊維シート１の準備］
繊度１００デシテックス以上の剛性のあるモノフィラメントを編立可能となるように、ニッティングエレメントを改良した鎌間３３ｍｍで9 ゲージのダブルラッセル編機を用いて、表１に示した糸使いにより立体編物を得た。ここで、糸種中の＊１は、単糸繊度が約１２デシテックスの芯鞘型複合フィラメントが２４本集束してなる２８０デシテックスのマルチフィラメント糸である（ユニチカ株式会社製の「メルセット」）。なお、芯鞘型複合フィラメントは、芯成分が融点２５０℃の高融点ポリエステルであり、鞘成分が融点１６０℃の低融点ポリエステルである。
［表１］
━━━━━━━━━━━━━━━━━━━━━━━━━━━━━━━━━━━━━━
筬                        糸種                                糸配列
───    ──────────────────────    ────────
Ｌ１    ３３０ｄＴｅｘポリエステルモノフィラメント      １ｉｎ−１ｏｕｔ
Ｌ２    ３３０ｄＴｅｘポリエステルモノフィラメント      ２ｉｎ−２ｏｕｔ
Ｌ３    ３３０ｄＴｅｘポリエステルモノフィラメント      ２ｏｕｔ−２ｉｎ
Ｌ４    １１００ｄＴｅｘポリエステルモノフィラメント    Ａｌｌ−ｉｎ
Ｌ５    ３３０ｄＴｅｘポリエステルモノフィラメント      １ｉｎ−１ｏｕｔ
Ｌ６    ３３０ｄＴｅｘポリエステルモノフィラメント      １ｏｕｔ−１ｉｎ
Ｌ７                      ＊１                          １ｉｎ−１ｏｕｔ
━━━━━━━━━━━━━━━━━━━━━━━━━━━━━━━━━━━━━━
【００２０】
以上のようにして得られた立体編物は、Ｌ１，Ｌ２，Ｌ３，Ｌ５，Ｌ６及びＬ７の筬により表裏に編地組織が形成され、Ｌ４の筬により１１００ｄＴｅｘポリエステルモノフィラメントが連結糸となって表裏の編地組織が連結される。そして、この立体編物を幅方向に拡幅すると亀甲形状（六角形状）の網目が現れて網地となり、この状態で１８０℃で２分間乾熱セットを行って、＊１のフィラメント中の低融点ポリエステルを溶融させた後、冷却固化して繊維シート１を得た。
【００２１】
この繊維シート１は、二枚の網地と、二枚の網地を連結するモノフィラメント群とよりなるもので、モノフィラメント群は繊維シート１の機械方向（幅方向と直交する方向）に湾曲した形状となっている。なお、繊維シート１の厚みは３０ｍｍであり、質量は１６５０ｇ／ｍ2であり、モノフィラメント群の各モノフィラメントの長さは、約３０ｍｍ（湾曲しているので繊維シートの厚みと同等か又はそれ以上である。）である。
【００２２】
［繊維シート２の準備］
繊維シート１の厚みが約１８ｍｍの箇所で、連結糸（モノフィラメント群）を繊維シート１の平面方向に切断して、繊維シート２を得た。この繊維シート２は、一枚の網地の一表面から、長さ約１８ｍｍのモノフィラメント群が一方に延びているもので、モノフィラメント群は繊維シート２の機械方向に湾曲した形状となっている。
【００２３】
［繊維シート３の準備］
繊維シート１の厚みが約１０ｍｍの箇所で、連結糸（モノフィラメント群）を繊維シート１の平面方向に切断して、繊維シート３を得た。この繊維シート３は、一枚の網地の一表面から、長さ約１０ｍｍのモノフィラメント群が一方に延びているもので、モノフィラメント群は繊維シート３の機械方向に湾曲した形状となっている。
【００２４】
実施例１
兵庫県尼崎港の直立岸壁の水深０．５ｍの位置に、縦横５０ｃｍの繊維シート１〜３を各々設置した。そして、約８ケ月後に、各繊維シートに付着している海藻類及び動物類の被度を調査したところ、表２に示すとおりであった。なお、被度とは、繊維シートの面積に対する海藻類及び動物類が付着している面積の割合のことである。
［表２］
━━━━━━━━━━━━━━━━━━━━━━━━━━━━━━━━━━━
繊維シート１    繊維シート２    繊維シート３
━━━━━━━━━━━━━━━━━━━━━━━━━━━━━━━━━━━
海藻類
──────────
アオサ属              ５％未満        ０％            ０％
シオグサ属            ５％未満        ０％            ０％
ワカメ                ０％            ３５％          ７０％
フダラク              ０％            ０％            ５％未満
イギス科              ５％未満        ０％            ５％未満
イトグサ属            ０％            ３５％          １０％
───────────────────────────────────
動物類
──────────
尋常海綿綱            ０％            ５％未満        ０％
ヒドロ虫綱            ５％未満        ０％            ０％
イソギンチャク目      ０％            ５％未満        ０％
カンザシゴカイ科      ５％未満        ０％            ０％
フジツボ科            ５％未満        ０％            ０％
ムラサキイガイ        ８５％          ８０％          ８０％
シロボヤ              ５％未満        ５％未満        ０％
━━━━━━━━━━━━━━━━━━━━━━━━━━━━━━━━━━━
なお、繊維シート２及び３に付着している海藻類のワカメの株数及び藻長範囲は、繊維シート２が１１個で１０〜６０ｃｍであり、繊維シート３が２７個で３〜７５ｃｍであった。
【００２５】
実施例２
大阪府小松漁港の直立岸壁の水深２ｍの位置に、縦横５０ｃｍの繊維シート１〜３を各々設置した。そして、約８ケ月後に、各繊維シートに付着している海藻類の被度（％）を調査したところ、表３に示すとおりであった。
［表３］
━━━━━━━━━━━━━━━━━━━━━━━━━━━━━━━━━━━
繊維シート１    繊維シート２    繊維シート３
━━━━━━━━━━━━━━━━━━━━━━━━━━━━━━━━━━━
アサオ属                ５％未満        ５％未満        ５％未満
シオグサ属              ５％未満        ５％未満        ５％未満
フクロノリ              ０％            ２０％          ４０％
カゴメノリ              ０％            ０％            ５％未満
ヒラムチモ              ０％            ５％未満        ５％未満
ワカメ                  ５％未満        ０％            ０％
ウスカワカニノテ        １５％          ２０％          ２０％
無節サンゴモ類          ５％未満        ５％未満        ２０％
フダラク                ０％            ５％未満        ０％
カバノリ                １０％          ３０％          ２０％
イワノカワ科            ０％            ０％            ５％未満
ベニスナゴ              ０％            ５％未満        ０％
イギス科                ０％            ５％未満        ５％未満
━━━━━━━━━━━━━━━━━━━━━━━━━━━━━━━━━━━
【００２６】
実施例１及び２から分かるように、繊維シート１〜３を人工海岸の岸壁の垂直面に固定すると、各種の生物が付着して、岸壁近辺の生物多様性が図れる。特に、繊維シート２及び３は、より多くの生物が付着しており、生物多様性の確保に適していることが分かる。
【図面の簡単な説明】
【００２７】
【図１】本発明で用いる繊維シートの網地の一例を示す模式的平面図である。
【図２】本発明で用いる繊維シートの一例を示す模式的斜視図である。
【図３】本発明で用いる繊維シートの他の例を示す模式的斜視図である。
【符号の説明】
【００２８】
１    網地
２    各モノフィラメント
３    網糸
４    網目
【図１】
0005449015.tif 000002
【図２】
0005449015.tif 000003
【図３】
0005449015.tif 000004